(57)【要約】【課題】  人手が足りなくてもバレーボール等の各種球技の練習を十分に行えると共に、種々のプレーの技術向上を図れるようにする。【解決手段】  適宜の形状及び大きさに形成された枠体２と、枠体２内に張設されたネット３と、枠体２及びネット３の何れか一方又は両方に取り付けられ、バレーボール用ネットＮ１、テニス用ネットＮ２、バドミントン用ネットＮ３又は卓球用ネットＮ４に着脱自在に係止される複数の係止具４とから成る球技用練習器具１であって、前記球技用練習器具１は、その枠体２及びネット３部の一部分がバレーボール用ネットＮ１、テニス用ネットＮ２、バドミントン用ネットＮ３又は卓球用ネットＮ４の上辺から上方へ突出する姿勢で前記各ネットＮ１，Ｎ２，Ｎ３，Ｎ４に複数の係止具４を介して平行に取り付けられるようにする。【選択図】      図１
2006223733.tif 000002
【特許請求の範囲】
【請求項１】
適宜の形状及び大きさに形成された枠体（２）と、枠体（２）内に張設されたネット（３）と、枠体（２）及びネット（３）の何れか一方又は両方に取り付けられ、バレーボール用ネット（Ｎ１）、テニス用ネット（Ｎ２）、バドミントン用ネット（Ｎ３）又は卓球用ネット（Ｎ４）に着脱自在に係止される複数の係止具（４）とから成る球技用練習器具（１）であって、前記球技用練習器具（１）は、その枠体（２）及びネット（３）の一部分がバレーボール用ネット（Ｎ１）、テニス用ネット（Ｎ２）、バドミントン用ネット（Ｎ３）又は卓球用ネット（Ｎ４）の上辺から上方へ突出する姿勢で前記各ネット（Ｎ１），（Ｎ２），（Ｎ３），（Ｎ４）に複数の係止具（４）を介して平行に取り付けられるようにしたことを特徴とする球技用練習器具。
【請求項２】
適宜の形状及び大きさに形成された枠体（２）と、枠体（２）にその開口部分を閉塞するように取り付けられた合成樹脂製、ゴム製又は金属製のブロック板（６）と、枠体（２）及びブロック板（６）の何れか一方又は両方に取り付けられ、バレーボール用ネット（Ｎ１）、テニス用ネット（Ｎ２）、バドミントン用ネット（Ｎ３）又は卓球用ネット（Ｎ４）に着脱自在に係止される複数の係止具（４）とから成る球技用練習器具（１）であって、前記球技用練習器具（１）は、その枠体（２）及びブロック板（６）の一部分がバレーボール用ネット（Ｎ１）、テニス用ネット（Ｎ２）、バドミントン用ネット（Ｎ３）又は卓球用ネット（Ｎ４）の上辺から上方へ突出する姿勢で前記各ネット（Ｎ１），（Ｎ２），（Ｎ３），（Ｎ４）に複数の係止具（４）を介して平行に取り付けられるようにしたことを特徴とする球技用練習器具。
【請求項３】
適宜の形状及び大きさに形成された合成樹脂製、ゴム製又は金属製のブロック板（６）と、ブロック板（６）に取り付けられ、バレーボール用ネット（Ｎ１）、テニス用ネット（Ｎ２）、バドミントン用ネット（Ｎ３）又は卓球用ネット（Ｎ４）に着脱自在に係止される複数の係止具（４）とから成る球技用練習器具（１）であって、前記球技用練習器具（１）は、そのブロック板（６）の一部分がバレーボール用ネット（Ｎ１）、テニス用ネット（Ｎ２）、バドミントン用ネット（Ｎ３）又は卓球用ネット（Ｎ４）の上辺から上方へ突出する姿勢で前記各ネット（Ｎ１），（Ｎ２），（Ｎ３），（Ｎ４）に複数の係止具（４）を介して平行に取り付けられるようにしたことを特徴とする球技用練習器具。
【請求項４】
枠体（２）を縦長の長方形状に形成し、前記枠体（２）内の上半分又は下半分に横線及び縦線から成る格子状のネット（３ａ）を張設すると共に、枠体（２）内の残りの半分に縦線のみから成るスリット状のネット（３ｂ）を張設したことを特徴とする請求項１に記載の球技用練習器具。
【請求項５】
枠体（２）及びネット（３）を長方形状に形成し、前記枠体（２）及びネット（３）を縦長の姿勢又は横長の姿勢で且つその一部分がバレーボール用ネット（Ｎ１）、テニス用ネット（Ｎ２）、バドミントン用ネット（Ｎ３）又は卓球用ネット（Ｎ４）の上辺から上方へ突出する姿勢で前記各ネット（Ｎ１），（Ｎ２），（Ｎ３），（Ｎ４）に複数の係止具（４）を介して平行に取り付けられるようにしたことを特徴とする請求項１に記載の球技用練習器具。
【請求項６】
枠体（２）及びブロック板（６）を長方形状に形成し、前記枠体（２）及びブロック板（６）を縦長の姿勢又は横長の姿勢で且つその一部分がバレーボール用ネット（Ｎ１）、テニス用ネット（Ｎ２）、バドミントン用ネット（Ｎ３）又は卓球用ネット（Ｎ４）の上辺から上方へ突出する姿勢で前記各ネット（Ｎ１），（Ｎ２），（Ｎ３），（Ｎ４）に複数の係止具（４）を介して平行に取り付けられるようにしたことを特徴とする請求項２に記載の球技用練習器具。
【請求項７】
ブロック板（６）を長方形状に形成し、当該ブロック板（６）を縦長の姿勢又は横長の姿勢で且つその一部分がバレーボール用ネット（Ｎ１）、テニス用ネット（Ｎ２）、バドミントン用ネット（Ｎ３）又は卓球用ネット（Ｎ４）の上辺から上方へ突出する姿勢で前記各ネット（Ｎ１），（Ｎ２），（Ｎ３），（Ｎ４）に複数の係止具（４）を介して平行に取り付けられるようにしたことを特徴とする請求項３に記載の球技用練習器具。
【発明の詳細な説明】
【技術分野】
【０００１】
本発明は、バレーボールやテニス、バドミントン、卓球等の各種球技の練習時に用いるものであり、バレーボール用ネットやテニス用ネット、バドミントン用ネット、卓球用ネット等にネットの上辺から上方へ突出する姿勢で取り付けられ、バレーボールの練習に際しては、アタックやブロックフォロー、サーブ等の練習に、又、テニスやバドミントン、卓球等の練習に際しては、主にサーブ等の練習に夫々使用することができる球技用練習器具に関するものである。
【背景技術】
【０００２】
一般に、バレーボールやテニス、バドミントン等の各種球技の練習に際しては、相手側のコートに選手を立たせ、実戦に即した練習を行うようにしている。
例えば、バレーボールに於いては、アタックやブロックフォロー、サーブ等の練習を行う場合には、実際に相手側のコートの所定位置に夫々選手を配し、アタッカーが相手側のコートにボールを打ち込んだり、或いはレシーバーが相手側のブロックに当たって跳ね返されたボールをレシーブしたりする練習を行うようにしている。
【０００３】
しかし、上述したバレーボールの練習に於いては、各選手にジャンプ力や身長に差があるうえ、ジャンプの繰り返しにより選手が疲労するため、所望のブロック状態を作ることができず、思い通りの練習を行えないと云う問題があった。又、実際に選手を配して練習を行う場合には、選手が足りなくなることがあり、十分な練習を行えないと云う問題もあった。
【０００４】
そこで、これらの問題を解決するバレーボール用練習器具が開発され、実開昭６３−１８２７８３号公報として公開されている（特許文献１）。
即ち、前記バレーボール用練習器具１０は、図１８に示す如く、長方形状の枠体１１に一対の把持杆１２を設けると共に、前記枠体１１内にネット１３を張設したものであり、選手が把持杆１２を握って練習器具１０自体を垂直状態に持ち上げ、枠体１１及びネット１３をバレーボール用ネットの上辺よりも上方に位置させることにより、人がブロックした状態を作り出すことができる。
【０００５】
而して、アタックの練習に際しては、アタッカーは、ボールが練習器具１０に当たらないように練習器具１０を避けて相手側のコートにボールを打ち込み、又、ブロックフォローの練習に際しては、アタッカーは、枠体１１内のネット１３を狙ってボールを打ち込み、ネット１３の張力によりボールを自陣のコート内に跳ね返らせる。
このバレーボール用練習器具１０を使用すれば、所望のブロック状態を作ることができるため、アタックやブロックフォロー等の練習を思い通りに行えることになる。
【０００６】
然し乍ら、上述したバレーボール用練習器具１０に於いては、最低でも一人の選手が練習器具１０を持ってバレーボール用ネットの反対側に立たなければならないため、ブロッカーの役目をする選手を皆無にすることができず、どうしても人手を必要とすると云う問題があった。
又、アタックやサーブの練習をする際に、強烈なスピードの打球が練習器具１０に当たるため、練習器具１０を持っている選手がその衝撃に耐えることが困難であったり、或いは手首が疲労したりすることがあり、思い通りの練習を十分に行えないと云う問題があった。
【特許文献１】実開昭６３−１８２７８３号公報
【発明の開示】
【発明が解決しようとする課題】
【０００７】
本発明は、このような問題点に鑑みて為されたものであり、その目的は、人手が足りなくてもバレーボール等の各種球技の練習を十分に行えると共に、種々のプレーの技術向上を図れるようにした球技用練習器具を提供することにある。
【課題を解決するための手段】
【０００８】
上記目的を達成するために、本発明の請求項１の発明は、適宜の形状及び大きさに形成された枠体と、枠体内に張設されたネットと、枠体及びネットの何れか一方又は両方に取り付けられ、バレーボール用ネット、テニス用ネット、バドミントン用ネット又は卓球用ネットに着脱自在に係止される複数の係止具とから成る球技用練習器具であって、前記球技用練習器具は、その枠体及びネットの一部分がバレーボール用ネット、テニス用ネット、バドミントン用ネット又は卓球用ネットの上辺から上方へ突出する姿勢で前記各ネットに複数の係止具を介して平行に取り付けられるようにしたことに特徴がある。
【０００９】
本発明の請求項２の発明は、適宜の形状及び大きさに形成された枠体と、枠体にその開口部分を閉塞するように取り付けられた合成樹脂製、ゴム製又は金属製のブロック板と、枠体及びブロック板の何れか一方又は両方に取り付けられ、バレーボール用ネット、テニス用ネット、バドミントン用ネット又は卓球用ネットに着脱自在に係止される複数の係止具とから成る球技用練習器具であって、前記球技用練習器具は、その枠体及びブロック板の一部分がバレーボール用ネット、テニス用ネット、バドミントン用ネット又は卓球用ネットの上辺から上方へ突出する姿勢で前記各ネットに複数の係止具を介して平行に取り付けられるようにしたことに特徴がある。
【００１０】
本発明の請求項３の発明は、適宜の形状及び大きさに形成された合成樹脂製、ゴム製又は金属製のブロック板と、ブロック板に取り付けられ、バレーボール用ネット、テニス用ネット、バドミントン用ネット又は卓球用ネットに着脱自在に係止される複数の係止具とから成る球技用練習器具であって、前記球技用練習器具は、そのブロック板の一部分がバレーボール用ネット、テニス用ネット、バドミントン用ネット又は卓球用ネットの上辺から上方へ突出する姿勢で前記各ネットに複数の係止具を介して平行に取り付けられるようにしたことに特徴がある。
【００１１】
本発明の請求項４の発明は、請求項１の発明に於いて、枠体を縦長の長方形状に形成し、前記枠体内の上半分又は下半分に横線及び縦線から成る格子状のネットを張設すると共に、枠体内の残りの半分に縦線のみから成るスリット状のネットを張設したことに特徴がある。
【００１２】
本発明の請求項５の発明は、請求項１の発明に於いて、枠体及びネットを長方形状に形成し、前記枠体及びネットを縦長の姿勢又は横長の姿勢で且つその一部分がバレーボール用ネット、テニス用ネット、バドミントン用ネット又は卓球用ネットの上辺から上方へ突出する姿勢で前記各ネットに複数の係止具を介して平行に取り付けられるようにしたことに特徴がある。
【００１３】
本発明の請求項６の発明は、請求項２の発明に於いて、枠体及びブロック板を長方形状に形成し、前記枠体及びブロック板を縦長の姿勢又は横長の姿勢で且つその一部分がバレーボール用ネット、テニス用ネット、バドミントン用ネット又は卓球用ネットの上辺から上方へ突出する姿勢で前記各ネットに複数の係止具を介して平行に取り付けられるようにしたことに特徴がある。
【００１４】
本発明の請求項７の発明は、請求項３の発明に於いて、ブロック板を長方形状に形成し、当該ブロック板を縦長の姿勢又は横長の姿勢で且つその一部分がバレーボール用ネット、テニス用ネット、バドミントン用ネット又は卓球用ネットの上辺から上方へ突出する姿勢で前記各ネットに複数の係止具を介して平行に取り付けられるようにしたことに特徴がある。
【発明の効果】
【００１５】
本発明の請求項１乃至請求項３の球技用練習器具は、ネットを張設した枠体又はブロック板を取り付けた枠体若しくはブロック板を複数の係止具によりバレーボール用ネットやテニス用ネット、バドミントン用ネット、卓球用ネットにその上辺から上方へ突出する姿勢で取り付けることができる構成としているため、人手を要することなくアタックやブロックフォロー、サーブ等の各種プレーの練習を十分に行え、種々のプレーの技術向上を図れる。又、球技用練習器具がサーブ等の練習をする際にコースを見極めるための目標となるうえ、球技用練習器具により攻撃できる範囲が狭められて攻撃が制約を受けることになる。その結果、サーブ等の練習に役立つうえ、攻撃時に高い精度が必要になって技術の向上を図れると共に、攻撃の工夫を習得するのに役立つ。
更に、球技用練習器具は、ネットを張設した枠体又はブロック板を取り付けた枠体若しくはブロック板を複数の係止具によりバレーボール用ネットやテニス用ネット、バドミントン用ネット、卓球用ネットに着脱自在に取り付けることができる構成としているため、選手の背の高さや選手の能力、練習の種類等に応じて球技用練習器具の取り付け位置や取り付け高さを変えることができ、変化に飛んだ練習を行える。
【００１６】
本発明の請求項４乃至請求項７の球技用練習器具は、上記効果に加えて更に次のような効果を奏することができる。
即ち、本発明の請求項４の球技用練習器具は、枠体を縦長の長方形状に形成し、枠体内の上半分又は下半分に横線及び縦線から成る格子状のネットを張設すると共に、枠体内の残りの半分に縦線のみから成るスリット状のネットを張設する構成としているため、例えば、格子状のネット部分がバレーボール用ネットの上辺から上方へ突出するようにバレーボール用ネットに取り付けた場合には、ブロックフォローの練習を行え、又、スリット状のネット部分がバレーボール用ネットの上辺から上方へ突出するようにバレーボール用ネットに取り付けた場合には、ボールが一定の強さで打ち込まれたときにネットを通り抜けてブロックアウト又はブロックスルーとなり、より実戦に即したブロック状態を再現することができる。
又、本発明の請求項５乃至請求項７の球技用練習器具は、長方形状に形成した枠体及びネット又は長方形状に形成した枠体及びブロック板若しくは長方形状に形成したブロック板を縦長の姿勢又は横長の姿勢で且つその一部分がバレーボール用ネット、テニス用ネット、バドミントン用ネット又は卓球用ネットの上辺から上方へ突出する姿勢で前記各ネットに複数の係止具を介して取り付けることができる構成としているため、より一層変化に飛んだ練習を行える。
【発明を実施するための最良の形態】
【００１７】
以下、本発明の実施の形態を図面に基づいて詳細に説明する。
図１は本発明の実施の形態に係る球技用練習器具１を示し、当該球技用練習器具１は、バレーボールの練習時に用いるものであり、バレーボール用ネットＮ１の適宜の個所にバレーボール用ネットＮ１の上辺から上方へ突出する姿勢で取り付けられ、アタックやブロック、サーブ等の練習に使用するものである。
【００１８】
即ち、球技用練習器具１は、図１及び図２に示す如く、適宜の形状及び大きさに形成された枠体２と、枠体２内に張設されたネット３と、枠体２及びネット３の何れか一方又は両方に揺動自在に取り付けられ、バレーボール用ネットＮ１に着脱自在に係止される複数の係止具４とから成り、前記枠体２及びネット３の一部分がバレーボール用ネットＮ１の上辺から上方へ突出する姿勢でバレーボール用ネットＮ１３に係止具４を介して平行に取り付けられている。
【００１９】
具体的には、前記枠体２は、アルミ合金等の軽量の金属パイプを長方形状に折り曲げ加工することにより形成されており、枠体２の長辺部分及び短辺部分にはネット３を形成するロープを通すための貫通孔２ａが一定間隔毎に形成されている。これら各貫通孔２ａには、ここへ通したロープが貫通孔２ａの内周縁部により損傷しないように可撓性を有する合成樹脂製のフランジ付のチューブ５が挿着されている（図３参照）。尚、枠体２の長さ（高さ）は約９０ｃｍに、枠体２の幅は約６５ｃｍに夫々選定されている。
【００２０】
前記ネット３は、合成繊維製の一本のロープをチューブ６を介して枠体２の各貫通孔２ａに順次挿通し、ロープを格子状又はスリット状に組み合せることにより形成されており、枠体２内に適宜の張力でもって張設されている。この実施の形態では、ネット３は、縦長の枠体２内の上半分に張設された横線及び縦線から成る格子状のネット３ａと、枠体２内の下半分に張設された縦線のみから成るスリット状のネット３ｂとから成る。尚、格子状のネット３ａの網目の大きさは約１０ｃｍ角位に、又、スリット状のネット３ｂのロープ間の間隔は約１０ｃｍに夫々選定されている。
【００２１】
前記係止具４は、図４に示す如く、略Ｃ字状の本体部４ａと、本体部４ａの一端部に所定の角度で回動自在に取り付けられ、本体部４ａの開口を開閉する開閉片４ｂと、開閉片４ｂを本体部４ａの開口を常時閉じる方向に付勢するスプリング（図示省略）とから成る。
この係止具４は、本体部４ａ内に枠体２の長辺部分又は短辺部分を挿通することにより枠体２に揺動自在に取り付けられ、又、本体部４ａ内にネット３の横線、縦線又は横線と縦線の交差部分を通すことによりネット３に揺動自在に取り付けられる。更に、係止具４は、開閉片４ｂを指で操作して本体部４ａの開口を開放し、この状態で本体部４ａをバレーボール用ネットＮ１の一部分に引っ掛けた後、本体部４ａの開口を開閉片４ｂで閉じることによりバレーボール用ネットＮ１に取り付けられる。この実施の形態に於いては、係止具４は、枠体２及びネット３の両方に取り付けられており、枠体２の四隅に一個ずつ取り付けられ、又、格子状のネット３ａとスリット状のネット３ｂの境界部分に二個取り付けられている。
【００２２】
次に、上述した球技用練習器具１を使用してバレーボールの種々のプレーを練習する場合について説明する。
例えば、球技用練習器具１を使用してアタックの練習をする場合には、図５に示す如く、球技用練習器具１をその枠体２の上半分及び格子状のネット３ａがバレーボール用ネットＮ１の上辺から上方へ突出する姿勢で複数の係止具４によりバレーボール用ネットＮ１に取り付ける。このとき、中央攻撃をできなくする場合には、球技用練習器具１をバレーボール用ネットＮ１の中央部分に上辺から上方へ突出する姿勢で取り付け、又、サイド攻撃をできなくする場合には、球技用練習器具１をバレーボール用ネットＮ１の両端部分に上辺から上方へ突出する姿勢で取り付ける。
この状態でアタッカーは、球技用練習器具１を相手チームのブロッカーに見立て、ボールが球技用練習器具１に当たらないように相手チームのコートを狙ってボールを打ち込む。これにより、他の選手にブロックしてもらう必要がなくなる。然も、球技用練習器具１により攻撃できる範囲が狭められて攻撃が制約を受けることになり、攻撃時に高い精度が必要になって技術の向上を図れるうえ、攻撃の工夫を習得するのに役立つ。
【００２３】
又、球技用練習器具１を使用してブロックフォローの練習をする場合には、球技用練習器具１を上記と同じ状態でバレーボール用ネットＮ１に取り付け、この状態でアタッカーは、枠体２内のネット３を狙ってボールを打つ。そうすると、ボールが枠体２内のネット３の張力により自チームのコート内に跳ね返ってくるので、レシーバーがブロックフォローの練習を行えることになる。
【００２４】
更に、球技用練習器具１を使用してサーブの練習をする場合には、球技用練習器具１を上記と同じ状態でバレーボール用ネットＮ１に取り付け、この状態でサーバーは、ボールが球技用練習器具１に当たらないように相手チームのコートを狙ってサーブを打つ。このとき、球技用練習器具１がコースを見極めるための目標となるため、サーブの練習に役立つことになる。
【００２５】
このように、前記球技用練習器具１は、枠体２及びネット３の一部分が複数の係止具４によりバレーボール用ネットＮ１にその上辺から上方へ突出する姿勢で取り付けられるため、人手を要することなくアタックやブロックフォロー、サーブ等の各種プレーの練習を十分に行え、種々のプレーの技術向上を図れる。
又、球技用練習器具１は、複数の係止具４によりバレーボール用ネットＮ１に着脱自在に取り付けられるため、選手の背の高さや選手の能力、練習の種類等に応じて球技用練習器具１の取り付け位置や取り付け高さを変えることができ、変化に飛んだ練習を行える。
【００２６】
尚、上記の実施の形態に於いては、球技用練習器具１をその枠体２の上半分及び格子状のネット３ａがバレーボール用ネットＮ１の上辺から上方へ突出する姿勢で複数の係止具４によりバレーボール用ネットＮ１に取り付けるようにしたが、他の実施の形態に於いては、図６に示すように、球技用練習器具１をその枠体２の下半分及びスリット状のネット３ｂがバレーボール用ネットＮ１の上辺から上方へ突出する姿勢で複数の係止具４によりバレーボール用ネットＮ１に取り付けるようにしても良い。
この状態でアタッカーが枠体２内のスリット状のネット３ｂを狙ってボールを打った場合、ボールが一定の強さで打ち込まれたときにネット３を通り抜けてブロックアウト又はブロックスルーとなるため、より実戦に即したブロック状態を再現することができる。
【００２７】
上記の実施の形態に於いては、枠体２内に格子状のネット３ａとスリット状のネット３ｂを張設するようにしたが、他の実施の形態に於いては、図７に示すように、枠体２内の全てに格子状のネット３ａを張設するようにしても良い。
【００２８】
上記の実施の形態に於いては、球技用練習器具１を比較的広幅（二人分のブロッカーの幅に相当）の縦長の長方形状に形成するようにしたが、他の実施の形態に於いては、図８及び図９に示すように、球技用練習器具１を細い幅（一人のブロッカーの幅に相当）の略長方形状に形成するようにしても良い。この場合、図８に示す如く、枠体２内の上半分に格子状のネット３ａを、又、枠体２内の下半分にスリット状のネット３ｂを夫々張設しても良く、或いは、図９に示す如く、枠体２内の全てに格子状のネット３ａを張力するようにしても良い。
【００２９】
上記の実施の形態に於いては、球技用練習器具１を縦長の姿勢でバレーボール用ネットＮ１に取り付けるようにしたが、他の実施の形態に於いては、球技用練習器具１を横長の姿勢でバレーボール用ネットＮ１に取り付けるようにしても良い。この場合、枠体２内の全てに格子状のネット３ａを張設することが好ましい。
【００３０】
上記実施の形態に於いては、枠体２を金属材により形成するようにしたが、他の実施の形態に於いては、枠体２を合成樹脂材により形成するようにしても良い。
【００３１】
上記の実施の形態に於いては、枠体２内に合成樹脂製のネット３を張設するようにしたが、他の実施の形態に於いては、ネット３に替えて枠体２にブロック板３を取り付けるようにしても良い。
即ち、この球技用練習器具１は、図１０及び図１１に示す如く、アルミ合金等の金属パイプを長方形状に折り曲げ加工して形成された枠体２と、枠体２の開口部分を閉塞するように枠体２の前面にビスやネジ等の止め具７により取り付けられた長方形状の合成樹脂製のブロック板６と、枠体２に取り付けられ、バレーボール用ネットＮ１、テニス用ネットＮ２、バドミントン用ネットＮ３又は卓球用ネットＮ４に着脱自在に係止される複数の係止具４とから成り、前記枠体２及びブロック板６の一部分がバレーボール用ネットＮ１、テニス用ネットＮ２、バドミントン用ネットＮ３又は卓球用ネットＮ４の上辺から上方へ突出する姿勢で前記各ネットＮ１、Ｎ２、Ｎ３、Ｎ４に複数の係止具４を介して平行に取り付けられるようにしたものである。
又、ブロック板６は、耐衝撃性等に優れた透明なポリカーボネートにより形成されており、その外周縁部には係止具４が遊嵌状態で挿通される切欠６ａが一定間隔毎に形成されている。尚、ブロック板６は、他の合成樹脂材や合成ゴム板、金属板により形成するようにしても良い。
この球技用練習器具１も、枠体２内にネット３を張設した球技用練習器具１と同様の作用効果を奏することができる。
【００３２】
上記の実施の形態に於いては、球技用練習器具１を枠体２とネット３（又はブロック板６）と複数の係止具４とから構成したが、他の実施の形態に於いては、球技用練習器具１をブロック板６と複数の係止具４とから構成するようにしても良い。
即ち、この球技用練習器具１は、図１２及び図１３に示す如く、縦長の長方形状に形成された合成樹脂製のブロック板６と、ブロック板６の外周縁部に適宜の間隔で取り付けられ、バレーボール用ネットＮ１、テニス用ネットＮ２、バドミントン用ネットＮ３又は卓球用ネットＮ４に着脱自在に係止される複数の係止具４とから成り、前記ブロック板６の一部分がバレーボール用ネットＮ１、テニス用ネットＮ２、バドミントン用ネットＮ３又は卓球用ネットＮ４の上辺から上方へ突出する姿勢で前記各ネットＮ１、Ｎ２、Ｎ３、Ｎ４に複数の係止具４を介して平行に取り付けられるようにしたものである。
又、ブロック板６は、耐衝撃性等に優れた透明なポリカーボネートにより形成されており、その外周縁部には係止具４が遊嵌状態で挿通される取付け穴６ｂが一定間隔毎に形成されている。尚、ブロック板６は、他の合成樹脂材や合成ゴム板、金属板により形成するようにしても良い。
この球技用練習器具１も、枠体２内にネット３を張設した球技用練習器具１や枠体２にブロック板６を取り付けた球技用練習器具１と同様の作用効果を奏することができる。
【００３３】
上記の実施の形態に於いては、係止具４には、略Ｃ字状の本体部４ａと、本体部４ａの開口を開閉する開閉片４ｂと、開閉片４ｂを閉じる方向に付勢するスプリング（図示省略）とから成る係止具４を使用したが、係止具４の構造及び形状等は、上記の実施の形態のものに限定されるものではなく、球技用練習器具１の枠体２、ネット３又はブロック板６に取り付けられ、且つバレーボール用ネットＮ１等に着脱自在に取り付けられれば、如何なる構造及び形状のものであっても良い。例えば、図１４（Ａ）〜（Ｃ）に示す各種構造の係止具４を使用するようにしても良い。
【００３４】
図１５乃至図１７は球技用練習器具１を他の球技の練習に使用する場合を示すものであり、図１５は球技用練習器具１をテニス用ネットＮ２に取り付けてサーブ等の練習を行う場合の使用状態を示し、又、図１６は球技用練習器具１をバドミントン用ネットＮ３に取り付けてサーブ等の練習を行う場合の使用状態を示し、更に、図１７は球技用練習器具１を卓球用ネットＮ４に取り付けてサーブ等の練習を行う場合の使用状態を示す。
【００３５】
前記各球技用練習器具１は、長方形状に形成された枠体２と、枠体２内に張設された格子状のネット３ａと、枠体２及びネット３の何れか一方又は両方に取り付けられ、バレーボール用ネットＮ１に着脱自在に係止される複数の係止具４とから成り、前記枠体２及びネット３部の一部分がテニス用ネットＮ２、バドミントン用ネットＮ３又は卓球用ネットＮ４の上辺から上方へ突出する姿勢で前記各ネットＮ２、Ｎ３、Ｎ４に複数の係止具４を介して平行に取り付けられている。
これら各球技用練習器具１は、枠体２の大きさを夫々テニス用ネットＮ２、バドミントン用ネットＮ３、卓球用ネットＮ４の大きさに合わせたこと、ネット３の網目の大きさを夫々テニス用ボール、バドミントンの羽根、卓球用ボールの大きさに合わせたこと、係止具４の数を変えたこと以外は、バレーボールの練習に使用する球技用練習器具１と同じ形状及び同じ構造に構成されており、図１に示す球技用練習器具１と同じ部位・部材には同一の参照番号を付し、その詳細な説明を省略する。尚、これら各球技用練習器具１は、格子状のネット３に替えて、枠体２にポリカーボネート等の合成樹脂製のブロック板６や合成ゴム製のブロック板６、金属製のブロック板６を夫々取り付けるようにしても良いことは勿論である。
【００３６】
前記各球技用練習器具１は、枠体２及びネット３の一部分が複数の係止具４によりテニス用ネットＮ２やバドミントン用ネットＮ３、卓球用ネットＮ４にその上辺から上方へ突出する姿勢で取り付けられるため、サーブ等の練習をする際に球技用練習器具１がコースを見極めるための目標となるうえ、球技用練習器具１により攻撃できる範囲が狭められて攻撃が制約を受けることになる。その結果、サーブ等の練習に役立つと共に、攻撃時に高い精度が必要になって技術の向上を図れるうえ、攻撃の工夫を習得するのに役立つ。
又、各球技用練習器具１は、枠体２及びネット３を縦長の姿勢又は横長の姿勢で且つその一部分がテニス用ネットＮ２、バドミントン用ネットＮ３又は卓球用ネットＮ４の上辺から上方へ突出する姿勢で前記各ネットＮ１、Ｎ２、Ｎ３に複数の係止具４を介して取り付けられるため、より一層変化に飛んだ練習を行える。
【図面の簡単な説明】
【００３７】
【図１】本発明の実施の形態に係る球技用練習器具の正面図である。
【図２】図１に示す球技用練習器具の側面図である。
【図３】図１に示す球技用練習器具の要部の拡大断面図である。
【図４】図１に示す球技用練習器具の係止具の拡大正面図である。
【図５】図１に示す球技用練習器具をバレーボール用ネットに取り付けて種々のプレーの練習を行う場合の使用状態説明図である。
【図６】図１に示す球技用練習器具を上下逆さまにしてバレーボール用ネットに取り付けた状態を示す一部省略正面図である。
【図７】本発明の他の実施の形態に係る球技用練習器具の正面図である。
【図８】本発明の更に他の実施の形態に係る球技用練習器具の正面図である。
【図９】本発明の更に他の実施の形態に係る球技用練習器具の正面図である。
【図１０】本発明の更に他の実施の形態に係る球技用練習器具の正面図である。
【図１１】図１０に示す球技用練習器具の側面図である。
【図１２】本発明の更に他の実施の形態に係る球技用練習器具の正面図である。
【図１３】図１２に示す球技用練習器具の側面図である。
【図１４】係止具の他の例を示す拡大正面図である。
【図１５】球技用練習器具をテニス用ネットに取り付けてサーブ等の練習を行う場合の使用状態説明図である。
【図１６】球技用練習器具をバドミントン用ネットに取り付けてサーブ等の練習を行う場合の使用状態説明図である。
【図１７】球技用練習器具を卓球用ネットに取り付けてサーブ等の練習を行う場合の使用状態説明図である。
【図１８】従来のバレーボール用練習器具の正面図である。
【符号の説明】
【００３８】
１は球技用練習器具、２は枠体、３はネット、３ａは格子状のネット、３ｂはスリット状のネット、４は係止具、６はブロック板、Ｎ１はバレーボール用ネット、Ｎ２はテニス用ネット、Ｎ３はバドミントン用ネット、Ｎ４は卓球用ネット。
【図１】
2006223733.tif 000003
【図２】
2006223733.tif 000004
【図３】
2006223733.tif 000005
【図４】
2006223733.tif 000006
【図５】
2006223733.tif 000007
【図６】
2006223733.tif 000008
【図７】
2006223733.tif 000009
【図８】
2006223733.tif 000010
【図９】
2006223733.tif 000011
【図１０】
2006223733.tif 000012
【図１１】
2006223733.tif 000013
【図１２】
2006223733.tif 000014
【図１３】
2006223733.tif 000015
【図１４】
2006223733.tif 000016
【図１５】
2006223733.tif 000017
【図１６】
2006223733.tif 000018
【図１７】
2006223733.tif 000019
【図１８】
2006223733.tif 000020